(57)【特許請求の範囲】
【請求項１】
現金処理装置において、
現金の投入を受付ける現金入金口と、
上記現金入金口から投入された現金を収納する第１の現金収納庫と、
売上金を収納する第２の現金収納庫と、
当該現金処理装置内で現金を搬送する搬送手段と、
当該現金処理装置で保持している売上金を管理する売上金管理手段と、
上記第２の現金収納庫に収納されていない売上金の額が所定の金種の金額以上となった場合に、上記搬送手段を制御して、上記第２の現金収納庫に収納されていない売上金の一部又は全部を、上記所定の金種以上の額の金種単位で、上記第２の現金収納庫に搬送させる制御手段と
を有することを特徴とする現金処理装置。
【請求項２】
上記制御手段は、売上金の回収に係る回収取引を行う際に、上記搬送手段を制御して、上記第２の現金収納庫に収納されていない売上金を全て上記第２の現金収納庫に搬送させることを特徴とする請求項１に記載の現金処理装置。
【請求項３】
上記所定の金種は当該現金処理装置で処理する紙幣のうち最も金額の高い金種であることを特徴とする請求項１又は２に記載の現金処理装置。
【請求項４】
当該現金処理装置は、紙幣及び硬貨の処理が可能であり、
上記所定の金種は、当該現金処理装置で処理する紙幣のうち最も金額の低い金種であることを特徴とする請求項１または２に記載の現金処理装置。
【請求項５】
上記制御手段が、上記第２の現金収納庫に収納されていない売上金の額を記憶する未移動売上金カウンタを用いて管理することを特徴とする請求項１〜４に記載の現金処理装置。
【請求項６】
上記制御手段は、上記未移動売上金カウンタを売上金が第１の現金収納庫に収納される度に加算し、売上金が第２の現金収納庫に収納される度に減算して制御することを特徴とする請求項５に記載の現金処理装置。
【請求項７】
上記制御手段は、上記未移動売上金カウンタが所定の金種以上となった場合でも、上記第１の現金収納庫に上記所定の金種以上の額の貨幣が存在しないときには、上記所定の金種以上の額の金種単位で、上記第２の現金収納庫に搬送させないことを特徴とする請求項５または６に記載の現金処理装置。
【発明の詳細な説明】
【技術分野】
【０００１】
本発明は、現金処理装置に関し、例えば、スーパーマーケットや運輸機関等の店舗において、釣銭等の現金を管理する現金管理装置に適用し得るものである。
【背景技術】
【０００２】
従来、釣銭用の現金を出金し売上金とともに入金を受付ける現金管理装置（現金入出金装置）では、売上金として入金した金額を自動的に回収庫に回収してしまうものであった。例えば、紙幣入出金口および硬貨入金口に紙幣および硬貨が投入され、入金金額が確定されると、紙幣および硬貨は、紙幣釣銭収納庫および硬貨釣銭収納庫に金種別に収納し、釣銭金種以外の紙幣は、紙幣回収庫に収納、硬貨は硬貨回収庫に収納される仕組みであった。このような現金管理装置の例としては、特許文献１に記載のものがある。
【先行技術文献】
【特許文献】
【０００３】
【特許文献１】特開２００６-１５５３２６号公報
【発明の概要】
【発明が解決しようとする課題】
【０００４】
しかしながら、先述の仕組みの現金管理装置は、売上金として入金した金額が自動的に回収庫に収納されてしまう為、入金する金種によっては、釣銭庫から釣銭を回収して回収庫に収納しまうという問題があった（つまり、つり銭のバランスが崩される）。
【０００５】
例えば、釣銭五千円券を持ち出し、当日の売上が５０００円であった場合において、一万円券１枚の金種により入金すると、現金管理装置は、売上金として、釣銭庫から回収庫に５０００円移動させることになる（つまり、五千円券の釣銭が減少する）。
【０００６】
そのため、効率的に釣銭の管理をすることができる現金処理装置が望まれている。
【課題を解決するための手段】
【０００７】
本発明は、現金処理装置において、（１）現金の投入を受付ける現金入金口と、（２）上記現金入金口から投入された現金を収納する第１の現金収納庫と、（３）売上金を収納する第２の現金収納庫と、（４）当該現金処理装置内で現金を搬送する搬送手段と、（５）当該現金処理装置で保持している売上金を管理する売上金管理手段と、（６）上記第２の現金収納庫に収納されていない売上金の額が所定の金種の金額以上となった場合に、上記搬送手段を制御して、上記第２の現金収納庫に収納されていない売上金の一部又は全部を、上記所定の金種以上の額の金種単位で、上記第２の現金収納庫に搬送させる制御手段とを有することを特徴とする。
【発明の効果】
【０００８】
本発明によれば、釣銭を効率的に管理する現金処理装置を提供することができる。
【図面の簡単な説明】
【０００９】
【図１】第１の実施形態に係る現金管理装置の機能的構成を示すブロック図である。
【図２】第１の実施形態に係る現金管理装置の外観を示す斜視図である。
【図３】第１の実施形態に係る現金管理装置で入金取引が行われる場合の動作について示したフローチャートである。
【図４】第１の実施形態に係る現金管理装置で、売上回収取引が行われる場合の動作について示したフローチャートである。
【図５】第１の実施形態に係る現金管理装置で、入金取引が行われる場合の動作の具体例について示した説明図である。
【図６】第２の実施形態に係る現金管理装置で、入金取引が行われる場合の動作の具体例について示した説明図である。
【発明を実施するための形態】
【００１０】
（Ａ）第１の実施形態
以下、本発明による現金処理装置の第１の実施形態を、図面を参照しながら説明する。この実施形態では、本発明の現金処理装置を、現金管理装置に適用した例について説明する。
【００１１】
（Ａ−１）第１の実施形態の構成
図１は、現金管理装置１の機能的構成を示すブロック図である。図２は、現金管理装置１の外観を示す斜視図である。
【００１２】
図１に示すように、現金管理装置１は、大別して、主制御部１０、記憶部２０、表示部３０、カードリーダ４０、入力部５０、印刷部６０、紙幣部１００及び硬貨部２００を有する。また、図２に示すように、現金管理装置１は、硬貨入金口２１４、硬貨リジェクト２１２、紙幣入出金口１１３、紙幣部１００及び硬貨部２００を有する。
【００１３】
主制御部１０は、記憶部２０に格納された制御プログラムに基づいて、現金管理装置１全体の処理を制御するものである。主制御部１０は、つり銭出金処理や入金処理を行う入出金処理機能や、つり銭有高を管理するつり銭有高管理機能を有する。
【００１４】
記憶部２０は、主制御部１０の処理で利用される種々のデータを記憶する記憶手段である。図１では、記憶部２０に記憶されるデータとして、金額管理テーブルＴと、後述する未移動売上金カウンタＣ及び閾値Ｎとを図示している。金額管理テーブルＴでは、少なくとも、現金管理装置１で保持している全ての現金の金額（以下、「有高」と呼ぶ）と、現金管理装置１で保持している売上金の合計額と、現金管理装置１で保持している釣銭準備金の合計額とが管理されているものとする。記憶部２０は、その他にも種々の情報を記憶する入金・出金処理履歴、回収庫交換履歴、釣銭収納庫入出金履歴、回収庫入金履歴等を記憶している。さらに、記憶部２０は、主制御部１０が実行する制御プログラムや処理結果等も記憶するものとする。
【００１５】
紙幣部１００は、紙幣を金種別に収納・管理するものである。
【００１６】
紙幣部１００は、入金処理時に投入される紙幣を一括して受け入れると共に出金処理時に釣銭としての紙幣を排出する紙幣入出金口１１３と、この紙幣入出金口１１３に受け入れた紙幣を１枚ずつ分離して、紙幣の金種等を鑑別すると共に鑑別した紙幣を金種毎に計数する紙幣認識部１１４と、この紙幣認識部１１４で鑑別計数された紙幣を集積して一時保留する紙幣一時保留部１１５と、釣銭準備金（売上金を含む）を金種（この実施形態では、千円券、五千円券、一万円券を区別しているものとする）別に収納する釣銭用紙幣収納庫１１６と、売上金として計上する入金紙幣を金種別に収納する紙幣回収庫１１１と、紙幣リジェクト１１２と、紙幣を搬送する紙幣搬送路１１７、制御プログラムに基づいて紙幣部２００全体の動作制御を行う制御部１１０を少なくとも有して構成される。
【００１７】
ここで、例えば、紙幣一時保留部１１５には紙幣を繰出す繰出し手段が設けられている。また例えば、釣銭用紙幣収納庫１１６にも紙幣の集積手段が紙幣を紙幣搬送路１１７に繰り出す繰出し手段と共に設けられている。
【００１８】
硬貨部２００は、硬貨を金種別に収納・管理するものである。
【００１９】
硬貨部２００は、投入される硬貨を一括して受け入れる硬貨入金口２１４と、この硬貨入金口２１４に受け入れた硬貨を１枚ずつ分離して、硬貨の金種等を鑑別すると共に鑑別した硬貨を金種毎に計数する硬貨認識部２１６と、この硬貨認識部２１６で鑑別計数された硬貨を一時保留する硬貨一時保留部２１７と、銭準備金（売上金を含む）を金種（この実施形態では、一円硬貨、五円硬貨、十円硬貨、五十円硬貨、百円硬貨、五百円硬貨を区別しているものとする）別に収納する釣銭用硬貨収納庫２１３、売上金として計上する入金硬貨を金種別に収納する硬貨回収庫２１１と、つり銭用の硬貨を出金するための硬貨出金口２１５と、硬貨リジェクト２１２と、硬貨を搬送する硬貨搬送路２１８、制御プログラムに基づいて硬貨部２００全体の動作制御を行う制御部２１０を有する。
【００２０】
例えば、硬貨一時保留部２１７、釣銭用硬貨収納庫２１３、硬貨回収庫２１１、及び硬貨出金口２１５は、金種毎に分けて硬貨を集積、収納できるように内部が区切られている。
【００２１】
また例えば、硬貨入金口２１４と硬貨認識部２１６との間には、分離部により分離された硬貨を搬送する搬送ベルト等による硬貨搬送路２１８が設けられている。また、釣銭用硬貨収納庫２１３と硬貨回収庫２１１及び硬貨出金口２１５との間には、釣銭用硬貨収納庫２１３から排出される硬貨を硬貨回収庫２１１と硬貨出金口２１５のいずれかに導く振分け手段と、通過する硬貨を金種毎に計数する計数手段とが設けられている。
【００２２】
なお、紙幣部１００の制御部１１０及び硬貨部２００の制御部２１０は、主制御部１０の指示により紙幣部１００及び硬貨部２００を制御する。
【００２３】
以上のように、現金管理装置１では、釣銭用紙幣収納庫１１６及び釣銭用硬貨収納庫２１３により、釣銭準備金及び売上金（後に回収対象となる売上金）を収納する収納庫（第１の現金収納庫）が構成されている。また、現金管理装置１では、紙幣回収庫１１１及び硬貨回収庫２１１により、回収用の売上金を収納する収納庫（第２の現金収納庫）が構成されている。以下では、紙幣回収庫１１１及び硬貨回収庫２１１を総称して「売上金回収庫」とも呼ぶものとする。また、以下では、釣銭用紙幣収納庫１１６及び釣銭用硬貨収納庫２１３を総称して「釣銭収納庫」と呼ぶものとする。
【００２４】
表示部３０は、例えば、液晶ディスプレイ（ＬＣＤ）等により、現金管理装置１の各種処理操作の案内、入力画面、入力情報、金種別の入金金額又は出金金額等を表示する表示手段である。
【００２５】
カードリーダ４０は、利用者が使用するＩＤカードに格納されている情報を読み取り、主制御部１０に読み取り情報を与えるものである。これにより、ＩＤカードに格納されている担当者識別情報が読み取られ、入金データ及び出金データを担当者識別情報に対応付けて管理することができる。なお、担当者識別情報については、カードリーダ４０による読み取りではなく、利用者が、後述する入力部５０を介して自身の担当者識別情報を入力するようにしても良い。
【００２６】
入力部５０は、利用者が操作するものであり、例えば、キーボードやテンキーなどの物理的な入力手段や、表示部３０上に配置されたタッチパネル等の入力手段を適用することができる。
【００２７】
印刷部６０は、紙幣部１００や硬貨部２００で行われた入金処理又は出金処理の金額、金種別枚数等を伝票に記録して出力するものである。印刷部６０は、例えば、プリンタ等を適用することができる。
【００２８】
主制御部１０が行う現金管理の詳細について説明する。
【００２９】
主制御部１０は、金額管理テーブルＴを用いて、現金管理装置１の有高、売上金及び釣銭準備金を管理している。主制御部１０は、出金取引（釣銭準備金の出金）を行うごとに、金額管理テーブルＴで管理する釣銭準備金を減算する処理を行う。また、主制御部１０は、入金取引を行うごとに、入金される現金（紙幣入出金口１１３及び硬貨入金口２１４に投入された現金）を、売上金と釣銭に分類して、金額管理テーブルＴで管理する釣銭及び売上金の額を加算する処理を行う。主制御部１０が、入金を受付けた現金のうち売上金を認識する処理については限定されないものである。例えば、主制御部１０は、店員等に売上金の額を手動入力させて認識してもよいし、店員ごと（ＩＤカードごと）に出金した釣銭の額を保持しておき、入金取引の際に入金される金額から釣銭を差し引いた金額を売上金として認識するようにしてもよい。
【００３０】
この実施形態では、主制御部１０は、入金取引で入金された現金（釣銭及び売上金を含む現金）を、一旦釣銭収納庫に収納し、その後売上金の分の現金を売上金回収庫に移動させる制御処理を行うものとする。
【００３１】
また、主制御部１０は、未移動売上金カウンタＣを用いて、現金管理装置１で保持する売上金のうち、未だ売上金回収庫に移動・収納されていない現金（以下、「未移動売上金」と呼ぶものとする）の金額を管理する。すなわち、未移動売上金カウンタＣの値は現在の未移動売上金の金額を示すことになる。
【００３２】
そして、主制御部１０は、未移動売上金カウンタＣと閾値Ｎとの比較結果に基づいて釣銭収納庫から売上金回収庫への現金の移動を行う。閾値Ｎには、現金管理装置１で処理するいずれかの金種の貨幣の金額が設定される。第１の実施形態では、閾値Ｎには、現金管理装置１で処理する紙幣のうち最も高額な紙幣である一万円券の額面（１００００）が設定されるものとして説明する。そして、主制御部１０は、閾値Ｎに対応する金種以上の貨幣単位で、釣銭収納庫から売上金回収庫への現金の移動を行う。すなわち、主制御部１０は、未移動売上金カウンタＣの値が閾値Ｎ以上の場合にのみ、未移動売上金カウンタＣの値の範囲内で、閾値Ｎに対応する金種以上の貨幣単位で、釣銭収納庫から売上金回収庫への現金の移動を行う。そして、主制御部１０は、釣銭収納庫から売上金回収庫へ移動した金額分だけ未移動売上金カウンタＣを減算する処理を行う。ここで、閾値Ｎ＝１００００とした場合、主制御部１０は、未移動売上金カウンタＣが１００００以上の場合に、未移動売上金カウンタＣの範囲内において、一万円券単位で釣銭収納庫（釣銭用紙幣収納庫１１６）から売上金回収庫（紙幣回収庫１１１）への一万円券の移動を行う。未移動売上金カウンタＣが１００００（Ｎ）で割り切れる値の場合は、主制御部１０は、未移動売上金カウンタＣの値に対応する全ての売上金について、釣銭収納庫から売上金回収庫に移動することになる。一方、未移動売上金カウンタＣが１００００（Ｎ）で割り切れない値である場合には、未移動売上金カウンタＣの一部の値に対応する売上金ついて、釣銭収納庫から売上金回収庫に移動することになる。この場合、未移動売上金カウンタＣを１００００（Ｎ）で割った余り（端数）が、未移動売上金として未移動売上金カウンタＣで管理されることになる。
【００３３】
以上のように、主制御部１０は、入金取引の度に、未移動売上金カウンタＣと閾値Ｎとの比較結果に基づいて釣銭収納庫から売上金回収庫へ現金を移動させることにより、入金された高額紙幣（この実施形態では一万円券）を優先的に移動（釣銭収納庫から売上金回収庫へ移動）する処理を行う。
【００３４】
以上のように、現金管理装置１は、紙幣搬送路１１７と硬貨搬送路２１８により現金を搬送する搬送手段が実現されている。また、現金管理装置１は、主制御部１０と記憶部２０により売上金を管理する売上金管理手段が実現されている。
【００３５】
（Ａ−２）第１の実施形態の動作
次に、以上のような構成を有する現金管理装置１の動作について説明する。
【００３６】
まず、現金管理装置１が入金取引(釣銭及び売上金を含む現金の入金を受付ける取引)を行う際の動作について図３を用いて説明する。
【００３７】
現金管理装置１では、入金取引の前提として、利用者としての店員（当該現金管理装置１が設置されている店舗のレジスタ担当の店員）とＩＤカードを用いた出金取引を行い、釣銭を出金するが、この出金取引の内容については種々の現金管理装置（現金入出金装置）と同様の処理を適用することができるため詳しい説明を省略する。そして、図３では、出金取引を行った店員（ＩＤカードと現金を所持した店員）から現金（釣銭及びレジスタの売上金を含む現金）の入金取引を受付ける際の現金管理装置１の動作について示している。
【００３８】
店員によりＩＤカードがカードリーダ４０に挿入され、パスワードが入力されると、これを受付けて現金管理装置１の主制御部１０は、ＩＤカード情報を読取る（Ｓ１０１、Ｓ１０２）。
【００３９】
ＩＤカード情報を読取った主制御部１０は、ＩＤカードの正当性を判定し、ＩＤカードが正当である場合はＩＤカードコードにより入金を許可されている有資格者であることを判定して後述するステップＳ１０４へ移行する（Ｓ１０３）。なお、図３で図示を省略しているが、ＩＤカードが正当でない、または入金の有資格者でないと判定した場合は、その旨を表示部３０に表示して入金処理を終了させることになる。
【００４０】
入金を行う店員から入金処理が選択されたものとすると、主制御部１０は、表示部３０に現金の投入を促す旨の文言を表示すると共に、紙幣入出金口１１３のシャッタおよび硬貨入金口２１４のシャッタを開放して店員からの現金の投入を受付ける（Ｓ１０４）。
【００４１】
続いて、店員により持参した入金のための現金を紙幣と硬貨に区別して紙幣入出金口１１３と硬貨入金口２１４へ投入されると、主制御部１０は、紙幣入出金口１１３へ投入された紙幣を紙幣認識部１１４へ搬送し、その紙幣の真偽、金種等を鑑別して金種毎に計数し、鑑別された紙幣を紙幣一時保留部１１５へ搬送し金種別に一時保管する（Ｓ１０５）。また、主制御部１０は、硬貨入金口２１４へ投入された硬貨を硬貨鑑別部２１６へ搬送し、その硬貨の真偽、金種等を鑑別して金種毎に計数し、鑑別された硬貨を硬貨一時保留部２１７へ搬送して金種別に一時保管する。なお、図３では図示を省略しているが、偽券等の不良紙幣と鑑別された紙幣は紙幣入出金口１１３へ搬送されて店員に返却される。同様に、偽硬貨等の不良硬貨と鑑別された硬貨は硬貨リジェクト２１２へ搬送されて店員に返却される。
【００４２】
現金の計数を終えた主制御部１０は、表示部３０に金種毎の計数結果とその確認を促す旨の文言を表示した計数結果確認画面を表示し、取引の続行又は中止を受け付ける（Ｓ１０６）。
【００４３】
主制御部１０は、取引の続行が受け付けられた場合には、計数結果が確定されたと認識して後述するステップＳ１０９へ移行し、一方、取引の中止が受け付けられた場合には、これを返却要求と認識して後述するステップＳ１０８へ移行する（Ｓ１０７）。
【００４４】
ステップＳ１０７の処理で中止処理が実行された場合において、返却要求を認識した主制御部１０は、紙幣一時保留部１１５に一時保管した紙幣を紙幣入出金口１１３へ、硬貨一時保留部２１７に一時保管した硬貨を硬貨出金口２１５搬送して投入された現金を店員に返却し、店員の受取りを確認して入金処理を終了する（Ｓ１０８）。
【００４５】
ステップＳ１０７の処理で続行処理が実行された場合において、計数結果（入金金額）が確定されたことを認識した主制御部１０は、入金金額を記憶部２０に記憶してステップＳ１１０へ移行する（Ｓ１０９）。
【００４６】
そして、主制御部１０は、一時保留部に一時保留されている現金の中で、すなわち、紙幣一時保留部１１５に一時保留されている紙幣を紙幣認識部１１４へ再度搬送し、その紙幣の金種等を鑑別して金種毎に計数し、釣銭用紙幣収納庫１１６に収納し、また、硬貨一時保留部２１７に金種別に一時保留されている硬貨を硬貨一時保留部２１７からそれぞれの金種の釣銭用硬貨収納庫２１３へ放出して金種別に収納する（Ｓ１１０）。
【００４７】
そして、主制御部１０は今回入金された現金（釣銭収納庫に収納された現金）を売上金と釣銭に分類し、金額管理テーブルＴ等の情報更新を行う（Ｓ１１１）。主制御部１０が、入金された現金を売上金と釣銭に分類する処理については、上述の通り、手動処理（店員から売上金の金額の入力を受付ける処理）で行うようにしてもよいし、自動処理（入金された現金の金額から出金した釣銭の金額を差し引いて売上金を取得する処理）で行うようにしてもよい。
【００４８】
次に、主制御部１０は、今回入金された現金のうち売上金の分だけ未移動売上金カウンタＣを加算し、未移動売上金カウンタＣを更新する処理を行う（Ｓ１１２）。
【００４９】
主制御部１０は、未移動売上金カウンタＣを参照し、未移動売上金カウンタＣが閾値Ｎ（この実施形態では、「１００００」）以上である場合には、次のステップＳ１１４を実行し、閾値Ｎ未満である場合には、後述するステップＳ１１６を実行する（Ｓ１１３）。
【００５０】
主制御部１０は、釣銭用紙幣収納庫１１６に保留されている現金うち、未移動売上金カウンタＣに記憶される金額（１００００単位）に相当する紙幣（一万円券単位）を紙幣認識部１１４へ再度搬送し、その紙幣の金種等を鑑別して金種毎に計数し、紙幣回収庫１１１に移動・収納する（Ｓ１１４）。なお、主制御部１０は、上記処理において、回収する紙幣（例えば、一万円券）が存在しない場合には、未移動売上金カウンタＣが閾値Ｎ以上となったとしても回収予定紙幣を紙幣回収庫１１１に移動しないように制御してもよい。
【００５１】
主制御部１０は、回収した金額分（紙幣回収庫１１１に移動した金額分）だけ未移動売上金カウンタＣを減算する（Ｓ１１５）。
【００５２】
主制御部１０は、ＩＤカード情報や入金された金種毎の枚数とその合計金額等の実行した入金処理の内容を記載した伝票（レシート）を印刷部６０により印刷して発行し処理を終了する（Ｓ１１６）。
【００５３】
次に、現金管理装置１が回収取引(売上金を売上金回収庫に移動して、売上金を回収させる処理)を行う際の動作について図４を用いて説明する。
【００５４】
図４は、現金管理装置１による売上金回収取引の動作を示すフローチャートである。
【００５５】
現金管理装置１は、上述の図３の処理により現金の入金が行われた後、回収取引の担当者（例えば、店舗において責任のある「店長」等の利用者）と回収取引を行う。現金管理装置１では、売上金回収庫（紙幣回収庫１１１、及び硬貨回収庫２１１）は着脱自在となっている。回収取引において、現金管理装置１は、売上金回収庫（紙幣回収庫１１１、及び硬貨回収庫２１１）に、全ての売上金（未移動売上金）を移動して、売上金回収庫を回収取引の担当者である店長に回収させるものとする。
【００５６】
まず、現金管理装置１では、店長の操作に応じて回収取引が開始されたものとする（Ｓ２０１〜Ｓ２０４）。ステップＳ２０１〜Ｓ２０４の処理は選択される取引が異なること以外は上述のステップＳ１０１〜Ｓ１０４の処理と同様であるため詳しい説明については省略する。
【００５７】
回収取引を開始すると、主制御部１０は、未移動売上金カウンタＣを参照し、未移動売上金カウンタＣの値が「０」（Ｃ＝０）の場合には、後述するステップＳ２０８を実行し、未移動売上金カウンタＣが０以上（Ｃ≧０）の場合には、後述するステップＳ２０６を実行する（Ｓ２０５）。
【００５８】
未移動売上金カウンタＣが０以上（Ｃ≧０）の場合、主制御部１０は、未移動売上金カウンタＣの値に相当する金額を回収する処理（売上金回収庫に移動する処理）を実行する（Ｓ２０６）。具体的には、主制御部１０は、釣銭用紙幣収納庫１１６で収納している現金のうち、未移動売上金に相当する紙幣（未移動売上金カウンタＣの１０００未満の値を切り捨てた値に相当する紙幣）を紙幣認識部１１４へ再度搬送し、その紙幣の金種等を鑑別して金種毎に計数し、紙幣回収庫１１１に収納する。さらに、主制御部１０は、釣銭用硬貨収納庫２１３で収納している現金のうち、未移動売上金に相当する硬貨（未移動売上金カウンタＣの１０００未満の値に相当する硬貨）を硬貨認識部２１６へ再度搬送し、その硬貨の金種等を鑑別して金種毎に計数し、硬貨回収庫２１１に収納する。
【００５９】
次に、主制御部１０は、上述のステップＳ２０６で回収した金額分（釣銭収納庫から売上金回収庫に移動した金額分）だけ未移動売上金カウンタＣを減算する処理を行う（Ｓ２０７）。このとき、釣銭収納庫から売上金回収庫への現金の移動が問題なく完了した場合、未移動売上金カウンタＣの値は０（Ｃ＝０）となる。
【００６０】
次に、主制御部１０は、今回の回収取引に伴う種々の情報について更新（記憶部２０の情報更新）を行う（Ｓ２０８）。
【００６１】
次に、主制御部１０は、印刷部６０を制御して、今回の回収取引の取引結果について印刷させて排出させる（Ｓ２０９）。
【００６２】
次に、現金管理装置１（主制御部１０）が、図３のフローチャートの動作に従って入金取引及び逐次現金を回収する処理を行った場合の具体例について図５を用いて説明する。
【００６３】
例えば、第１の実施形態の現金管理装置１（主制御部１０）で、図５に示す３つの入金取引（図５に示す取引番号１〜３の入金取引）が、取引番号１、２、３の順序で行われたものとする。
【００６４】
図５では、取引番号１の入金取引は、入金金額８，０００円（釣銭金額５，０００円、売上金額３，０００円）について、千円券×８枚の構成で入金された取引であることを示している。図５では、取引番号２の入金取引は、入金金額８，０００円（釣銭金額５，０００円、売上金額３，０００円）について、千円券×８枚の構成で入金された取引であることを示している。図５では、取引番号３の入金取引は、入金金額１０，０００円（釣銭金額５，０００円、売上金額５，０００円）について、一万円券×１枚の構成で入金された取引であることを示している。
【００６５】
そして、図５では、各取引番号の入金取引後の釣銭回収庫の収納状況（収納金額及び収納している現金の構成）、売上金回収庫の収納状況（収納金額及び収納している現金の構成）、及び未移動売上金カウンタＣの更新値についても示している。
【００６６】
図５に示す通り、取引番号１の入金取引後の未移動売上金カウンタＣの値は３，０００（１００００未満）であるため、売上金の移動（釣銭収納庫から売上金回収庫への現金の移動）は行われない。また、図５に示す通り、取引番号２の入金取引後の未移動売上金カウンタＣの値は６，０００（１００００未満）であるため、売上金の移動（釣銭収納庫から売上金回収庫への現金の移動）は行われない。さらに、図５に示す通り、取引番号２の入金取引後の未移動売上金カウンタＣの値は１，３０００（１００００以上）であるため、売上金の移動（釣銭収納庫から売上金回収庫への一万円券の移動）が行われる。この時、未移動売上金カウンタＣの値は、３，０００に更新されることになる。
【００６７】
（Ａ−３）第１の実施形態の効果
この実施形態によれば、以下のような効果を奏することができる。
【００６８】
現金管理装置１では、主制御部１０が、未移動売上金カウンタＣと閾値Ｎ（この実施形態では１００００）とを比較し、閾値Ｎ以上となった場合のみ釣銭用紙幣収納庫１１６から高額紙幣（この実施形態では一万円券）を紙幣回収庫１１１へ優先移動することで、釣銭として利用させる紙幣（例えば、千円券）の回収を抑制することができる。これにより、現金管理装置１の釣銭（例えば、千円券）が不足する事態が避けることが可能となり店舗の円滑な運営をすることができる。
【００６９】
また、現金管理装置１では、高額紙幣を優先移動することになるので、必然的に現金を移動（釣銭収納庫から売上金回収庫への現金の移動）する頻度と、１回あたりに移動する現金の量（紙幣の枚数）が減少し、より効率的な現金の移動処理を行うことができる。特に、釣銭用紙幣収納庫１１６から紙幣を紙幣回収庫１１１へ移動する場合には、紙幣認識部１１４で紙幣の鑑別を行うため、単に現金を搬送する時間以上の処理時間短縮を実現することができる。
【００７０】
（Ｂ）第２の実施形態
以下、本発明による現金処理装置の第２の実施形態を、図面を参照しながら説明する。この実施形態では、本発明の現金処理装置を、現金管理装置に適用した例について説明する。
【００７１】
（Ｂ−１）第２の実施形態の構成
第２の実施形態の現金管理装置１の構成についても、第１の実施形態と同様に図１、図２を用いて示すことができる。
【００７２】
以下では、第２の実施形態の現金管理装置１の構成について、第１の実施形態との差異について説明する。
【００７３】
第１の実施形態の現金管理装置１では、閾値Ｎとして現金管理装置１で処理する紙幣のうちもっとも金額の高い一万円券の金額（Ｎ＝１００００）としていた。これに対して、第２の実施形態では、閾値Ｎとして現金管理装置１で処理する紙幣のうちもっとも金額の低い一千円券の金額（Ｎ＝１０００）が設定されている点で第１の実施形態と異なる。
【００７４】
（Ｂ−２）第２の実施形態の動作
次に、第２の実施形態に係る現金管理装置１の動作を説明する。
【００７５】
第２の実施形態の現金管理装置１の動作も、第１の実施形態と同様に図３を用いて説明することができる。上述の通り、第２の実施形態の現金管理装置１では、ステップＳ１１３の処理で適用される閾値Ｎが１０００に変更されている点で第１の実施形態と異なる。また、第２の実施形態の現金管理装置１では、ステップＳ１１４の処理で、閾値Ｎに対応する金種（一千円券）以上の額面の金種単位（一千円券、五千円券、及び一万円券）で現金の移動処理（釣銭収納庫から売上金回収庫に移動する処理）を行うことになる。
【００７６】
次に、第２の実施形態の現金管理装置１（主制御部１０）が、図３のフローチャートの動作に従って入金取引及び逐次現金を回収する処理を行った場合の具体例について図６を用いて説明する。
【００７７】
例えば、第１の実施形態の現金管理装置１（主制御部１０）で、図６に示す３つの入金取引（図６に示す取引番号１〜３の入金取引）が、取引番号１、２、３の順序で行われたものとする。
【００７８】
図６では、取引番号１の入金取引は、入金金額６，５２０円（釣銭金額５，０００円、売上金額１，５２０円）について、千円券×６枚、五百円硬貨×１枚、十円硬貨×２枚の構成で入金された取引であることを示している。図６では、取引番号２の入金取引は、入金金額５，３００円（釣銭金額５，０００円、売上金額３００円）について、千円券×５枚、１００円硬貨×３枚の構成で入金された取引であることを示している。図６では、取引番号３の入金取引は、入金金額７，４８０円（釣銭金額５，０００円、売上金額２，４８０円）について、千円券×７枚、１００円硬貨×４枚、十円硬貨×８枚の構成で入金された取引であることを示している。
【００７９】
そして、図６では、各取引番号の入金取引後の釣銭回収庫の収納状況（収納金額及び収納している現金の構成）、売上金回収庫の収納状況（収納金額及び収納している現金の構成）、及び未移動売上金カウンタＣの更新値についても示している。
【００８０】
図６に示す通り、取引番号１の入金取引後の未移動売上金カウンタＣの値は１，５２０（１０００以上）であるため、売上金の移動（釣銭収納庫から売上金回収庫への一千円券の移動）が行われる。この時、未移動売上金カウンタＣの値は、５２０に更新されることになる。また、図６に示す通り、取引番号２の入金取引後の未移動売上金カウンタＣの値は８２０（１０００未満）であるため、売上金の移動（釣銭収納庫から売上金回収庫への現金の移動）は行われない。さらに、図６に示す通り、取引番号３の入金取引後の未移動売上金カウンタＣの値は３，３００（１０００以上）であるため、売上金の移動（釣銭収納庫から売上金回収庫への一千円券の移動）が行われる。この時、未移動売上金カウンタＣの値は、３００に更新されることになる。
【００８１】
（Ｂ−３）第２の実施形態の効果
この実施形態によれば、以下のような効果を奏することができる。
【００８２】
現金管理装置１では、主制御部１０が、未移動売上金カウンタＣと閾値Ｎ（この実施形態では１０００）とを比較し、閾値Ｎ以上となった場合のみ釣銭用紙幣収納庫１１６から紙幣（この実施形態では千円券）を紙幣回収庫１１１へ優先移動することで、釣銭として利用させる硬貨の回収を抑制することができる。これにより、現金管理装置１の釣銭硬貨が不足する事態が避けることが可能となり店舗の円滑な運営をすることができる。
【００８３】
また、現金管理装置１では、千円券を優先移動することになるので、必然的に硬貨を回収する機会と量が少なくなる。釣銭用硬貨収納庫２１３から硬貨を硬貨回収庫２１１へ回収する場合には、硬貨認識部２１６で硬貨の鑑定を行うが、鑑定する硬貨の機会と量が少なくなったことにより、紙幣認識部１１４で紙幣の鑑定をする時間を短縮することができる。
【００８４】
（Ｃ）他の実施形態
上記の各実施形態に加えて、さらに、以下に例示するような変形実施形態も挙げることができる。
【００８５】
（Ｃ−１）上記の各実施形態では、売上金回収庫に紙幣回収庫１１１及び硬貨回収庫２１１が含まれ、釣銭収納庫に釣銭用紙幣収納庫１１６及び釣銭用硬貨収納庫２１３が含まれるものとして説明したが、これ以外に、紙幣リジェクト１１２や硬貨リジェクト２１２等の本来他の機能に係る収納庫を釣銭収納庫又は売上金回収庫として流用するようにしてもよい。例えば、一万円券については、釣銭用紙幣収納庫１１６に収納せず、紙幣リジェクト１１２に収納する構成（紙幣リジェクト１１２を釣銭収納庫としても利用する構成）としてもよい。
【００８６】
（Ｃ−２）上記の各実施形態において、主制御部１０は、未移動売上金について直接的に未移動売上金カウンタＣを用いて管理しているが、未移動売上金カウンタＣを用いずに、保持している売上金合計額と、売上金回収庫に収納している金額との差分に基づいて算出し、間接的に未移動売上金を認識するようにしてもよい。すなわち、主制御部１０において、未移動売上金を認識する具体的な算出方法については限定されないものである。
【符号の説明】
【００８７】
１…現金管理装置、１０…主制御部、２０…記憶部、３０…表示部、４０…カードリーダ、５０…入力部、６０…印刷部、１００…紙幣部、１１０…制御部、１１１…紙幣回収庫、１１２…紙幣リジェクト、１１３…紙幣入出金口、１１４…紙幣認識部、１１５…紙幣一時保留部、１１６…釣銭用紙幣収納庫、１１７…紙幣搬送路、２００…硬貨部、２１０…制御部、２１１…硬貨回収庫、２１２…硬貨リジェクト、２１３…釣銭用硬貨収納庫、２１４…硬貨入金口、２１５…硬貨出金口、２１６…硬貨認識部、２１７…硬貨一時保留部、２１８…硬貨搬送路、Ｃ…未移動売上金カウンタ、Ｔ…金額管理テーブル、Ｎ…閾値
【図１】
0006369283.tif 000002
【図２】
0006369283.tif 000003
【図３】
0006369283.tif 000004
【図４】
0006369283.tif 000005
【図５】
0006369283.tif 000006
【図６】
0006369283.tif 000007